(57)【要約】      （修正有）【課題】音声読み上げ機能を具備する地球儀を提供する。【解決手段】主に台座２、回転軸３、及び球体４で構成される。回転軸は台座に独立して立設され、回転軸の上端にはストッパー３１が設けられ、下端には支持部材３２が設けられ、それぞれ球体の北極端及び南極端に対応して定位させると共に球体が離脱するのを防止し回転軸の回転距離内に保持させる。球体は同じ地球の自転の傾斜度で回転軸に枢設され、回転軸を中心に自由回転し、表面には地球の地理に対応する位置に模様コード型式の地図情報５が更に付設され、音声読み上げ装置により識別及び読み取りを行う。【選択図】図１
0003190419.tif 000002
【実用新案登録請求の範囲】
【請求項１】
音声読み上げ装置により識別し読み取りを行う音声読み上げ機能を具備する地球儀であって、
台座と、
前記台座に独立して立設される回転軸と、
地球の自転の傾斜度で前記回転軸に枢設され、前記回転軸を中心に自由回転し、表面には地球の地理に対応する位置に模様コード型式の地図情報が更に付設され、前記音声読み上げ装置により識別及び読み取りを行う球体を備えることを特徴とする、
地球儀。
【請求項２】
前記回転軸の上端には、前記球体の北極端に対応し定位させると共に前記球体が回転軸の回転距離外に離脱するのを防止させるストッパーが設けられることを特徴とする、請求項１に記載の地球儀。
【請求項３】
前記回転軸の下端には、前記球体の南極端に対応し定位させると共に前記球体が回転軸の回転距離内に保持されるよう支持させる支持部材が設けられることを特徴とする、請求項１に記載の地球儀。
【請求項４】
前記回転軸の下端の立設箇所は段状構造を呈し、前記球体の地球の自転の傾斜度の維持に用いられることを特徴とする、請求項１に記載の地球儀。
【請求項５】
前記地図情報は国家、都市、地形、地域、或いは海域のいずれかの一つの情報であることを特徴とする、請求項１に記載の地球儀。
【請求項６】
前記地図情報は経緯度の位置座標であることを特徴とする、請求項１に記載の地球儀。
【請求項７】
前記地図情報は立体或いは平面の型式であることを特徴とする、請求項１に記載の地球儀。
【考案の詳細な説明】
【技術分野】
【０００１】
本考案は、独立の回転軸に枢設され、且つ音声読み上げ機能を具備する地球儀に関する。
【背景技術】
【０００２】
地球儀は架台及び球体により構成され、前記球体は地球の自転軸の軸心の傾斜角度で架台に枢設されて自由回転する。前記球体の地球の地理的な位置には対応する地理図形が付設され、前記地理図形は少なくとも一部の国家や地域が異なる触感を有する材料により形成され、また一部の国家や地域は線形材料が境界に沿って画設されることで形成される。また、線形材料が経緯線の位置に貼付され、一部の国家や地域には対応する名称が点字印刷される。
上述の製品は、従来の技術に比べ、視覚障害者も触感により各国家や地域が地球のどの位置にあるか、その大きさや形状等も把握でき、視覚障害者が地球の地理を認識し、立体的に捉えることが可能になる。
【考案の概要】
【考案が解決しようとする課題】
【０００３】
前述した従来の地球儀は、主に視覚障害者のために設計されているが、前記地球儀の異なる触感材料の標記の説明や前記標記に付随する注釈等を説明するために説明書を付属させて、使用前に前記触感材料が表す国家や地域名及び情報を確認させる必要があった。しかしながら、これらは視覚障害者以外のユーザーには適用できず、視覚障害者が使用するにも面倒であった。このため前記考案や他の従来の技術にも多くの改善の余地がある。
【０００４】
そこで、本考案者は上記の欠点が改善可能と考え、鋭意検討を重ねた結果、合理的かつ効果的に課題を改善する本考案の提案に到った。
【０００５】
また、本考案の主な目的は、上述の問題を解決するために、音声読み上げ機能を具備する地球儀を提供することにある。
【課題を解決するための手段】
【０００６】
上述した課題を解決し、目的を達成するために、請求項１に記載の音声読み上げ機能を具備する地球儀は、音声読み上げ装置により識別し読み取りを行う音声読み上げ機能を具備する地球儀であって、台座と、前記台座に独立して立設される回転軸と、同じ地球の自転の傾斜度で前記回転軸に枢設され、前記回転軸を中心に自由回転し、表面には地球の地理に対応する位置に模様コード型式の地図情報が更に付設され、前記音声読み上げ装置により識別及び読み取りを行う球体を備えることを特徴とする。
【０００７】
前記回転軸は前記台座に独立して立設され、前記球体は開放式の態様で前記回転軸に枢設され、ユーザーは前記音声読み上げ装置を手に持ち閲覧する際に困難なく点字を閲読でき、ユーザーの操作の利便性を有効的に高めることを本考案の他の目的とする。
【考案の効果】
【０００８】
本考案によれば、地球儀上の地図情報の有効的な伝達が得られる。
【図面の簡単な説明】
【０００９】
【図１】本考案の第１実施形態による音声読み上げ機能を具備する地球儀を示す傾斜図である。
【図２】本考案の第１実施形態による音声読み上げ機能を具備する地球儀の内部構成を示す断面図である。
【図３】本考案の第１実施形態による音声読み上げ機能を具備する地球儀を示す使用状態図である。
【図４】本考案の第１実施形態による音声読み上げ機能を具備する地球儀を示す概略図である。
【図５】本考案の第２実施形態による音声読み上げ機能を具備する地球儀を示す概略図である。
【図６】本考案の第３実施形態による音声読み上げ機能を具備する地球儀を示す概略図である。
【考案を実施するための形態】
【００１０】
以下に図面を参照して、本考案を実施するための形態について、詳細に説明する。なお、本考案は、以下に説明する実施形態に限定されるものではない。
【００１１】
図１〜図３に示す、音声読み上げ機能を具備する地球儀１は、音声読み上げ装置６により識別及び読み取りを行い、台座２、回転軸３、及び球体４により主に構成される。
前記台座２は地球儀１の基部となり、前記回転軸３は前記台座２に独立して立設され、前記球体４は地球の自転の傾斜度に類比し前記回転軸３に枢設され、前記回転軸３は回転軸心を中心に自由回転する。このほか、前記球体４の表面には地球の地理に対応する位置の模様コード型式の地図情報５が更に付設され、前記音声読み上げ装置６により識別及び読み取りを行う。
【００１２】
なお、図２に示す音声読み上げ機能を具備する地球儀１では、前記回転軸３の上端には、前記ストッパー３１は前記球体４の北極端に対応し定位させると共に前記球体４が回転軸の回転距離外に離脱するのを防止させるストッパー  ３１が設けられ、前記回転軸３の下端には、前記支持部材３２は前記球体４の南極端に対応し定位させると共に前記球体４が回転軸の回転距離内に保持さされるよう支持させる支持部材３２が設けられる。
このほか、前記回転軸３の下端の立設箇所は段状構造を呈し、前記球体の地球の自転の傾斜度の維持に用いられる。これにより、本考案の音声読み上げ機能を具備する地球儀１の表面には、北極及び南極の端点が前記ストッパー３１に係止され、前記支持部材３２が被覆する以外、直接開放式の態様で展示され、ユーザーが前記音声読み上げ装置６を手に持ち閲覧する際に困難なく点字の閲読ができ、操作の利便性を確実かつ有効的に向上させる。
【００１３】
図４、図５及び図６に示す音声読み上げ機能を具備する地球儀１は、前記地図情報５は国家、都市、地形、地域、或いは海域の情報であり、経緯度の位置座標も含まれ、形態は立体または平面の態様に限定されない。
図４に示すように、本考案の第１態様においては、前記地図情報５は平面の文字型式であり、図５に示すように、本考案の第２態様においては、前記地図情報５は平面の模様型式であり、図６に示すように、本考案の第３態様においては、前記地図情報５は立体模様或いは文字型式である。従って、前記地図情報５は如何なる型式で付設されるかによらず、皆前記音声読み上げ装置６により高速かつ有効的に識別及び読み取り可能であり、更に多人数で同時に閲覧が可能になる。
【００１４】
上述の実施形態は本考案の技術思想及び特徴を説明するためのものにすぎず、当該技術分野を熟知する者に本考案の内容を理解させると共にこれをもって実施させることを目的とし、本考案の請求の範囲を限定するものではない。
従って、本考案の精神を逸脱せずに行う各種の同様の効果をもつ改良又は変更は、後述の請求項に含まれるものとする。
【符号の説明】
【００１５】
１    地球儀
２    台座
３    回転軸
３１  ストッパー
３２  支持部材
４    球体
５    地図情報
６    音声読み上げ装置
【図１】
0003190419.tif 000003
【図２】
0003190419.tif 000004
【図３】
0003190419.tif 000005
【図４】
0003190419.tif 000006
【図５】
0003190419.tif 000007
【図６】
0003190419.tif 000008